(57)【特許請求の範囲】
【請求項１】
所定文書ファイルの指定を行なうポインティングデバイスと、
前記所定文書ファイルに関連する情報であって、少なくともサムネイル画像、テキストファイル、自然言語とその属性の何れかを含む所定情報を複数蓄積する情報蓄積手段と、
前記ポインティングデバイスが前記所定文書ファイルの指定を行った状態でクリック操作されると、前記ポインティングデバイスが指定した前記所定文書ファイルに対応する１つの所定情報を前記情報蓄積手段より取得して表示し、その後、（ａ）前記ポインティングデバイスが前記所定文書ファイルを指定した状態で前記ポインティングデバイスのクリック操作が繰り返されると、そのクリック操作の度に、前記所定文書ファイルに対応する異なる前記所定情報を前記情報蓄積手段より取得して表示するか、或いは、（ｂ）前記ポインティングデバイスが前記所定文書ファイルを指定した状態で前記ポインティングデバイスのクリック状態が保持されると、前記ポインティングデバイスのクリック状態が所定時間保持される毎に、前記所定文書ファイルに対応する異なる前記所定情報を前記情報蓄積手段より取得して表示するテンポラリ情報表示手段と、
を備えたことを特徴とする文書表示装置。
【請求項２】
所定文書ファイルの指定を行なうポインティングデバイスと、
前記所定文書ファイルに関連する情報であって、少なくともサムネイル画像、テキストファイル、自然言語とその属性の何れかを含む所定情報を蓄積する情報蓄積手段と、
前記ポインティングデバイスが前記所定文書ファイルの指定を行った状態でクリック操作されると、前記ポインティングデバイスが指定した前記所定文書ファイルに対応する前記所定情報を前記情報蓄積手段より取得して表示し、その後、前記ポインティングデバイスが前記所定文書ファイルを指定した状態で前記ポインティングデバイスのクリック状態が保持されると、前記ポインティングデバイスのクリック状態が所定時間保持される毎に、前記所定情報の表示サイズを段階的に変化させるテンポラリ情報表示手段と、
を備えたことを特徴とする文書表示装置。
【請求項３】
情報蓄積手段が、ポインティングデバイスによって指示された所定文書ファイルに関連する情報であって、少なくともサムネイル画像、テキストファイル、自然言語とその属性の何れかを含む所定情報を複数蓄積する情報蓄積ステップと、
テンポラリ情報表示手段が、前記ポインティングデバイスが前記所定文書ファイルの指定を行った状態でクリック操作されると、前記ポインティングデバイスが指定した前記所定文書ファイルに対応する１つの所定情報を取得して表示し、その後、（ａ）前記ポインティングデバイスが前記所定文書ファイルを指定した状態で前記ポインティングデバイスのクリック操作が繰り返されると、そのクリック操作の度に、前記所定文書ファイルに対応する異なる前記所定情報を取得して表示するか、或いは、（ｂ）その後、前記ポインティングデバイスが前記所定文書ファイルを指定した状態で前記ポインティングデバイスのクリック状態が保持されると、前記ポインティングデバイスのクリック状態が所定時間保持される毎に、前記所定文書ファイルに対応する異なる前記所定情報を取得して表示するテンポラリ情報表示ステップと、
を備えたことを特徴とする文書表示方法。
【請求項４】
情報蓄積手段が、ポインティングデバイスによって指示された所定文書ファイルに関連する情報であって、少なくともサムネイル画像、テキストファイル、自然言語とその属性の何れかを含む所定情報を蓄積する情報蓄積ステップと、
テンポラリ情報表示手段が、前記ポインティングデバイスが前記所定文書ファイルの指定を行った状態でクリック操作されると、前記ポインティングデバイスが指定した前記所定文書ファイルに対応する前記所定情報を取得して表示し、その後、前記ポインティングデバイスが前記所定文書ファイルを指定した状態で前記ポインティングデバイスのクリック状態が保持されると、前記ポインティングデバイスのクリック状態が所定時間保持される毎に、前記所定情報の表示サイズを段階的に変化させるテンポラリ情報表示ステップと、
を備えたことを特徴とする文書表示方法。
【発明の詳細な説明】
【技術分野】
【０００１】
本発明は、ユーザの要求を適切に把握して課題に合致した内容を柔軟に表示でき、ダイナミックに変化するユーザの状況を反映して、それに応じた表示技術を提供することができる文書表示装置および文書表示方法に関する。
【背景技術】
【０００２】
電子文書を保管する場合、当該電子文書を後で利用する際の検索が問題となる。従来、文書がテキスト情報である場合は、テキストの特徴をキーワードとして索引化しておき、これを検索することで、目的の文書を取り出すことも行なわれている。目的とする文書を直感的に認識できるようにするためには、サムネイルが多用されている。しかし、サムネイルは原画像の縮小画像であるため、ユーザは検索に際して、画像の大まかな外観しか認知することができない。また、表示画面に、目的とする文書を含むであろう多数のサムネイルを表示することは、検索の障害となることがあり有効な表示画面の利用の妨げとなることもある。
【０００３】
この表示内容の貧弱さを補うため、近年、プルダウンメニュー、またはポップアップウィンドウと称されているテンポラリ（一時的）画面を表示することも行なわれている。これは、マウスなどで指示（ポインティング）されているオブジェクトに対応して、テンポラリ画面が表示され、ポインティングされなくなると消去される。このようなテンポラリ画面は、表示画面を煩雑とすることなく電子文書の大まかな外観を簡単に把握できるといった利点がある。従来、このようなテンポラリ画面には、予め用意された情報が、予め定まった形式で表示されるだけであり、ユーザが真に必要とする情報が表示されるとは限らない。
【発明の開示】
【発明が解決しようとする課題】
【０００４】
この課題に対する従来の解決法が、特許文献１に記載されている。本処理によれば蓄積されている文書画像の特徴量や文字列を予め計算（認識）し、その結果に基づくクラスタリング（分類）しておき、検索時に、キー入力されたキーワードや特徴量から、それに合致するクラスターを抽出選択される。これは蓄積された文書データの特徴量のみに依存したクラスタリングであるため、予め用意することが可能であり、本文中に開示されてないが、テンポラリ画面に表示することも可能であろう。しかし、利用者に関する特徴や性向は無視されているため、同一データに対する表示内容は固定している。
【０００５】
また、特許文献２では、文書作成のために、ユーザが操作するキーの情報を統計解析し、ユーザに最も望ましいと思われる助言を提示する方法が述べられている。この特許の対象は文書作成手段であり、テンポラリ画面に関する開示はない。さらに、特許文献３は、ユーザの操作特徴をモニタし、業務別に分類したデータ系列を備えている。文書を利用するユーザの特性から、文書の使われ方を文書属性として付加し、文書と業務の関連付けを行う。このシステムではユーザ特徴を認識し、現ユーザに最も適した文書を提供することができる。これもテンポラリ画面に関する開示はないし、実時間で処理するには情報量が大きすぎる。
【０００６】
特許文献４は、既存の蓄積文書を分類したとき、ｎ番目の分類に最も強い相関を有する語Ｗを、分類ｎの代表語として関連付けを行う。分類番号ｎの代わりに語Ｗを利用するため、ユーザの理解を容易にしている。これも、テンポラリ画面の利用に関する記述は見られない。
【０００７】
このような過去の不具合に対し、最近提案されている方法が、新規な機能を加えた複合的表示手段である。たとえば、サムネイルに付随する第２の表示枠中に、文書中の表題や著者のような静的な重要情報を拡大し、並列して表示する方法である。
【０００８】
しかし、それでも課題は残り、ユーザは常に同じ情報が欲しいわけではないし、同じ形式で情報検索したいわけでもない。システムは、ユーザの要求を適切に把握して課題に合致した内容を柔軟に表示できればよいが、上記した何れの従来例においてもダイナミックに変化するユーザの状況を反映して、それに応じた表示方法を提供することはできない。
【０００９】
本発明の目的は、ユーザの要求を適切に把握して課題に合致した内容を柔軟に表示でき、ダイナミックに変化するユーザの状況を反映してそれに応じた表示を行なうことができる文書表示装置および文書表示方法を提供することにある。
【課題を解決するための手段】
【００１０】
本発明の文書表示装置は、所定文書ファイルの指定を行なうポインティングデバイスと、
上記所定文書ファイルに関連する情報であって、少なくともサムネイル画像、テキストファイル、自然言語とその属性の何れかを含む所定情報を複数蓄積する情報蓄積手段と、上記ポインティングデバイスが上記所定文書ファイルの指定を行った状態でクリック操作されると、上記ポインティングデバイスが指定した上記所定文書ファイルに対応する１つの所定情報を上記情報蓄積手段より取得して表示し、その後、（ａ）上記ポインティングデバイスが上記所定文書ファイルを指定した状態で上記ポインティングデバイスのクリック操作が繰り返されると、そのクリック操作の度に、上記所定文書ファイルに対応する異なる上記所定情報を上記情報蓄積手段より取得して表示するか、或いは、（ｂ）上記ポインティングデバイスが上記所定文書ファイルを指定した状態で上記ポインティングデバイスのクリック状態が保持されると、上記ポインティングデバイスのクリック状態が所定時間保持される毎に、上記所定文書ファイルに対応する異なる上記所定情報を上記情報蓄積手段より取得して表示するテンポラリ情報表示手段とを備えたものである。
また、所定文書ファイルの指定を行なうポインティングデバイスと、上記所定文書ファイルに関連する情報であって、少なくともサムネイル画像、テキストファイル、自然言語とその属性の何れかを含む所定情報を蓄積する情報蓄積手段と、上記ポインティングデバイスが上記所定文書ファイルの指定を行った状態でクリック操作されると、上記ポインティングデバイスが指定した上記所定文書ファイルに対応する上記所定情報を上記情報蓄積手段より取得して表示し、その後、上記ポインティングデバイスが上記所定文書ファイルを指定した状態で上記ポインティングデバイスのクリック状態が保持されると、上記ポインティングデバイスのクリック状態が所定時間保持される毎に、上記所定情報の表示サイズを段階的に変化させるテンポラリ情報表示手段とを備えたものである。
【００１５】
本発明の文書表示方法は、情報蓄積手段が、ポインティングデバイスによって指示された所定文書ファイルに関連する情報であって、少なくともサムネイル画像、テキストファイル、自然言語とその属性の何れかを含む所定情報を複数蓄積する情報蓄積ステップと、テンポラリ情報表示手段が、上記ポインティングデバイスが上記所定文書ファイルの指定を行った状態でクリック操作されると、上記ポインティングデバイスが指定した上記所定文書ファイルに対応する１つの所定情報を取得して表示し、その後、（ａ）上記ポインティングデバイスが上記所定文書ファイルを指定した状態で上記ポインティングデバイスのクリック操作が繰り返されると、そのクリック操作の度に、上記所定文書ファイルに対応する異なる上記所定情報を取得して表示するか、或いは、（ｂ）その後、上記ポインティングデバイスが上記所定文書ファイルを指定した状態で上記ポインティングデバイスのクリック状態が保持されると、上記ポインティングデバイスのクリック状態が所定時間保持される毎に、上記所定文書ファイルに対応する異なる上記所定情報を取得して表示するテンポラリ情報表示ステップとを備えたものである。
また、情報蓄積手段が、ポインティングデバイスによって指示された所定文書ファイルに関連する情報であって、少なくともサムネイル画像、テキストファイル、自然言語とその属性の何れかを含む所定情報を蓄積する情報蓄積ステップと、テンポラリ情報表示手段が、上記ポインティングデバイスが上記所定文書ファイルの指定を行った状態でクリック操作されると、上記ポインティングデバイスが指定した上記所定文書ファイルに対応する上記所定情報を取得して表示し、その後、上記ポインティングデバイスが上記所定文書ファイルを指定した状態で上記ポインティングデバイスのクリック状態が保持されると、上記ポインティングデバイスのクリック状態が所定時間保持される毎に、上記所定情報の表示サイズを段階的に変化させるテンポラリ情報表示ステップとを備えたものである。
【００２１】
本発明にかかるプログラムは、上記各ステップを実行するモジュールからなり、このプログラムは磁気記録媒体に格納することができる。
【発明の効果】
【００２２】
ユーザの要求を適切に把握して課題に合致した内容を柔軟に表示でき、ダイナミックに変化するユーザの状況を反映して、それに応じた表示技術を提供することができる。
【発明を実施するための最良の形態】
【００２３】
以下、本発明の実施形態を説明する。図１は本発明の文書表示装置を示すブロック図である。図１において、文書表示装置１は、ポインティングデバイス１１と、情報蓄積手段１２と、情報抽出手段１３と、履歴記録手段１４と、テンポラリ情報表示手段１５と、操作状況モニタ手段１６と、モニタ情報分析手段１７と、文書ファイル関連付け情報分析手段１８とからなる。
【００２４】
ポインティングデバイス１１は、所定文書ファイル（原文書ファイルＤ）の指定を行なうことができる。情報蓄積手段１２は、原文書ファイルＤに関連する所定情報（属性情報ファイル等）を蓄積することができる。情報抽出手段１３は、ポインティングデバイス１１によって指示された原文書ファイルＤに関する所定情報を情報蓄積手段１２から抽出することができる。履歴記録手段１４は、ポインティングデバイス１１の操作履歴または当該操作履歴に依存した実時間演算結果を記録することができる。テンポラリ情報表示手段１５は、情報抽出手段１３により抽出した所定情報（属性情報ファイル等）をテンポラリ情報としてテンポラリ画面に表示することができる。テンポラリ情報表示手段１５は、履歴記録手段１４に記録した実時間演算結果を反映させて表示することができる。操作状況モニタ手段１６は、ユーザの操作状況（利用情報を含む）をモニタすることができる。モニタ情報分析手段１７は、前記操作状況モニタ手段１６によりモニタした情報を統計的に分析することができる。文書ファイル関連付け情報分析手段１８は、原文書ファイルＤに関連付けされる属性情報ファイル等を統計分析することができる。
【００２５】
以下、テンポラリ情報表示手段１５が表示するテンポラリ画面として、プルダウンメニューを利用した場合について説明する。処理対象となる原文書ファイルＤに関連付けされる所定情報ＤＩは、図２に示すように、原文書ファイルＤに特徴ファイルなどの属性情報ファイルとして付随している。これらは、ポインタや階層関係などによって互いに関連付けられている。図２に、属性情報ファイルが、サムネイルファイル、テキストファイル、インデックスファイル、ユーザ特性ファイルを含んで構成された様子を示す。
【００２６】
ユーザが電子化ファイルを利用する場合、ファイリングシステムを管理するプログラムは、図３のようにユーザが文書を利用する様子をモニタし、そのユーザ特性を学習する。図３では、ユーザ入力Ａ１はタイムカウンタＡ５に送出されるとともに、文字情報Ａ２または指示情報Ａ３として検出される。ユーザが入力した文字情報Ａ２は統計処理手段Ａ４に送出される。またユーザが入力した指示情報Ａ３は、それが文字文書であるときは文字情報Ａ２として、それが図形であるときは図形情報Ａ４として統計処理手段Ａ４に送出される。これら学習されたユーザ情報は随時更新されてユーザ特性ファイルＡ５に収納さる。ユーザ情報の例として、ユーザＩＤ、利用ファイル別頻度、表示モード別頻度、プルダウンメニュー保持時間等がある。
【００２７】
図４は、プルダウンメニュー表示例の１つであり、特定のアイコン上でポインティングデバイス（たとえばマウス）をクリックし続けると、クリック状態を保持する時間に依存して、関連ファイルの１つであるサムネイルが数秒単位で順次表示される。この方法に従えば、複数ページが表示装置一杯になるまで順次表示される。
【００２８】
クリック状態を解除することで、この表示を停止、消去することもできる。この場合のユーザ情報とはクリック状態を保持している時間である。クリック解除には、ダブルクリック、あるいは、右クリック、あるいは、ＥＳＣキーなどが有力候補である。
【００２９】
図５に他の実施形態を示す。特定のファイルに対応するアイコンをポインティングデバイス（たとえばマウス）でクリックし続けると、クリック状態を保持する時間に依存して、関連ファイルの１つであるサムネイルが数秒単位で順次、Ｓ１，Ｓ２．Ｓ３の順で拡大表示される。特定のページ内容を拡大して確認したいときには、この機能が有用となる。
【００３０】
図６はクリックを繰り返すことによって、順次、異なる関連ファイルが開かれる例である。この例では、サムネイルＴ１、キーワード程度の大まかな内容を示す特徴テキストＴ２、全文文書のような詳しい内容を示す全文テキストＴ３が順次表示される。ユーザ特性ファイルに、各ユーザ別に、利用するファイルと、過去に利用された関連ファイルのアクセス頻度が保持されていれば、表示順序を、ユーザの操作状況に予測合致させることも可能である。
【００３１】
図７は関連情報としてキーワードが利用される場合の例を示している。キーワード索引の種類やキーワード数は固定している場合が多いが、本例では同一ユーザの過去の利用履歴から、高頻度利用されたキーワードを優先抽出する。同一ユーザが想起しやすい言語は偏る性向があり、キーワードは、文書ファイルから抽出されたキーワード候補（通常は、高頻度の一般単語を除外し、対象文書のトピックスに意味的に近い候補を優先抽出する）と、同一ユーザが過去に利用した高頻度キーワードの重み付け加算の値とに依存して抽出される。その抽出されたキーワードの言語属性ベクトル（たとえば、重要性、述語との関連性、顕著性、相対出現頻度などを成分とし、一般に変数である）を主成分分析し、第１主成分と第２主成分の平面にプロットしたものである。こうすることで、対照文書を構成するキーワードの主要特徴が直感的に可視化できる。主成分分析結果は、与えられたサンプル集団（この場合では関連キーワード集合）に依存するから、プルダウンメニューに表示するためには、瞬時に計算する必要がある。サンプル数が数十個の場合は、技術的困難はない。しかし、主成分は物理的な概念や意味付けが不明確である場合が多い。そのため、主成分に最も近い特性を仮表示するとさらに理解しやすくなる。図中の矢印は、第一主成分に最も近いパラメータの方向とその名称を示している。このような主成分分析は、表現するパラメータの性質が不明確なデータの表示に適している。
【００３２】
図８はより詳細な具体的事例を示している。この図において上下方向はシソーラスの階層を示しており、上方ほど上位の概念を示している。横方向は単語間の関連性を示しており、遠くのものほど関連性が薄い。縦の破線は異なる概念や分類を示している。一般にキーワードとしての重要性は単語の概念が下位であるほど（概念が狭いほど）有効である。したがって、多くの場合、シソーラスの下位の方が重要性は高い。次の表にそのベクトル値の例を示す。
【００３３】
【表１】
0004607443.tif 000002
【００３４】
図９〜図１１はポインティングデバイスのクリック状態保持時間に応じて、表示内容が変化する他の例を示している。クリックした状態を１秒、２秒と保持しておくと、順次画像が切り替わったり、付加して表示されたりするようにできる。各図において、アクセス後の時間が横軸に示されており、「Ｍ」は分を、「Ｈ」は時間を、「Ｄ」は日を、「Ｗ」は週を示している。図９では、ポインティングデバイスのクリック状態保持時間に応じて、表示がサムネイルＳ１〜Ｓ５に変更されつつ縮小していく様子を示す。また、図１０では、ポインティングデバイスのクリック状態保持時間に応じて、表示がサムネイルＳ１〜Ｓ５に変更されつつ横方向に縮小する様子を示す。さらに、図１１では、ポインティングデバイスのクリック状態保持時間に応じて、表示がサムネイルＳ１〜Ｓ５に変更されつつ、かつファイル色が重要度に応じて変更しつつ縮小する様子を示す。
【図面の簡単な説明】
【００３５】
【図１】本発明の文書表示装置を示すブロック図である。
【図２】原文書ファイルに特徴ファイルなどの属性情報ファイルとして付随している情報を示す図である。
【図３】本発明の実施形態においてファイリングシステムを管理するプログラム処理を示す図である。
【図４】プルダウンメニュー表示例を示す図であり、特定のアイコン上でポインティングデバイスをクリックし続ける、サムネイルが順次表示される様子を示す図である。
【図５】プルダウンメニュー表示例を示す図であり、特定のファイルに対応するアイコンをポインティングデバイスでクリックし続け、サムネイルが順次拡大表示され様子を示す図である。
【図６】プルダウンメニュー表示例を示す図であり、クリックを繰り返すことによって、順次、異なる関連ファイルが開かれる様子を示す図である。
【図７】プルダウンメニュー表示例を示す図であり、関連情報としてキーワードが利用される場合を示す図である。
【図８】シソーラスにより関連情報を表示する例を示す図である。
【図９】ポインティングデバイスのクリック状態保持時間に応じて、表示が縮小していく様子を示す図である。
【図１０】ポインティングデバイスのクリック状態保持時間に応じて、表示が横要綱に縮小する様子を示す図である。
【図１１】ポインティングデバイスのクリック状態保持時間に応じて、表示がファイル色を変更させつつ縮小する様子を示す図である。
【符号の説明】
【００３６】
１  文書表示装置
１１  ポインティングデバイス
１２  情報蓄積手段
１３  情報抽出手段
１４  履歴記録手段
１５  テンポラリ情報表示手段
１６  操作状況モニタ手段
１７  モニタ情報分析手段
１８  文書ファイル関連付け情報分析手段
【図１】
0004607443.tif 000003
【図２】
0004607443.tif 000004
【図３】
0004607443.tif 000005
【図４】
0004607443.tif 000006
【図５】
0004607443.tif 000007
【図６】
0004607443.tif 000008
【図７】
0004607443.tif 000009
【図８】
0004607443.tif 000010
【図９】
0004607443.tif 000011
【図１０】
0004607443.tif 000012
【図１１】
0004607443.tif 000013